(57)【要約】 【課題】  外部からの不正アクセスを防止し、かつ必要な場合にのみＲＦリーダライタとの通信を可能にすることができるＲＦＩＤ用ホルダ、およびＲＦＩＤ、およびＲＦＩＤ用ホルダの使用方法を得る。【解決手段】  ２枚の板材１１ａ，１１ｂと、前記２枚の板材１１ａ，１１ｂを回転拘束するガイドピン６と、前記２枚の板材１１ａ，１１ｂとを接合する接合部７とで構成されたＲＦＩＤ用ホルダ１００であって、前記２枚の板材には、磁界遮蔽用の磁性体板１ａ，１ｂが配置されたＲＦＩＤ用ホルダとする。    【選択図】  図１
2007047921.tif 000002
【特許請求の範囲】
【請求項１】
板材と、前記板材とＲＦＩＤとの間を拘束する連結部とで構成されたＲＦＩＤ用ホルダにおいて、前記板材に、磁界あるいは電界遮蔽用の金属薄板が配置されたことを特徴とするＲＦＩＤ用ホルダ。 
【請求項２】
前記板材は、その枚数を、少なくとも１枚とすることを特徴とする請求項１に記載のＲＦＩＤ用ホルダ。
【請求項３】
前記板材での磁界あるいは電界遮蔽用の金属薄板の領域は、板材とＲＦＩＤとの密着時において、前記ＲＦＩＤのアンテナを形成する領域を、少なくとも含むことを特徴とする請求項１または２のいずれか１項に記載のＲＦＩＤ用ホルダ。 
【請求項４】
前記磁界あるいは電界遮蔽用の金属薄板の材質は、鉄、鉄ニッケル合金、銅、真鍮、アルミニウムの少なくとも１つが選択されたことを特徴とする請求項１に記載のＲＦＩＤ用ホルダ。
【請求項５】
請求項１ないし４のいずれか１項に記載されたＲＦＩＤ用ホルダと連結されたことを特徴とするＲＦＩＤ。
【請求項６】
少なくとも１枚の板材にてＲＦＩＤ用ホルダを構成し、前記板材の端部を連結部にて拘束し、前記板材に磁界あるいは電界遮蔽用の金属薄板を配置しており、ＲＦＩＤを前記ＲＦＩＤ用ホルダの板材に装着し、前記ＲＦＩＤの非使用時には、ＲＦＩＤをＲＦＩＤ用ホルダの板材に装着させ、前記ＲＦＩＤの使用時には、前記ＲＦＩＤ用ホルダの板材を回転させてＲＦＩＤを外部に露出させ、ＲＦＩＤとＲＦＩＤリーダライタ間のデータ通信を行うことを特徴とするＲＦＩＤ用ホルダの使用方法。
【請求項７】
少なくとも１枚の板材にてＲＦＩＤ用ホルダを構成し、前記板材の端部を連結部にて拘束し、前記板材に磁界あるいは電界遮蔽用の金属薄板を配置しており、ＲＦＩＤを前記ＲＦＩＤ用ホルダの板材に装着し、前記ＲＦＩＤの非使用時には、ＲＦＩＤをＲＦＩＤ用ホルダの板材の間に装着させ、前記ＲＦＩＤの使用時には、前記ＲＦＩＤ用ホルダの板材と前記ＲＦＩＤとの間に空隙を設けた状態にて、ＲＦＩＤリーダライタと前記ＲＦＩＤ間のデータ通信を行うことを特徴とするＲＦＩＤ用ホルダの使用方法。
【発明の詳細な説明】
【技術分野】
【０００１】
本発明は、個人データのやり取りなど、非接触で、データの読み出しや書き込みを行うＲＦＩＤ（Radio Frequency Identifier）の取り扱いに関するものであって、ＲＦＩＤを不正に読み出すことを防止する、ＲＦＩＤ用ホルダ、およびＲＦＩＤ、およびＲＦＩＤ用ホルダの使用方法に関する。 
【背景技術】
【０００２】
近年、大容量の情報を無線で記録および読み出しを行うＲＦＩＤが注目され、多方面で利用されて来ている。
【０００３】
従来のＲＦＩＤについて、以下に説明する。図７は、従来のＲＦＩＤ５１を、リーダライタ１０により読み出し、書き込みを行う状態の説明図である。図７にて、ＲＦＩＤ５１は、基板４１の内部に、ＩＣチップ２１と、アンテナコイル３１とが埋め込まれた構造である。ＲＦＩＤ５１に対して、リーダライタ１０内のアンテナコイル２００を対向させ、磁界によりアンテナコイル２００と、アンテナコイル３１を結合させて、データの送受信を行う。
【０００４】
特許文献１には、珪素鋼板とアンテナコイルを用いて、感度を改善したデータキャリアについて記載されている。特許文献２には、電磁波シールド効果を有する部材を、アンテナ下部に設けた食器用ＩＤタグの読出装置について記載されている。
【０００５】
【特許文献１】特開２０００−１１４８５４号公報
【特許文献２】特開２００１−２５６４４９号公報
【発明の開示】
【発明が解決しようとする課題】
【０００６】
従来のＲＦＩＤには、不正な手段によって、ＲＦＩＤのアンテナコイルを介して、データを送受信されても、不正を検知できず、不正に気が付かない可能性が高いという問題点があった。
【０００７】
従って、本発明の課題は、外部からの不正アクセスを防止し、かつ必要な場合にのみＲＦＩＤリーダライタとの通信を可能にすることができるＲＦＩＤ用ホルダ、およびＲＦＩＤ、およびＲＦＩＤ用ホルダの使用方法を提供することである。
【課題を解決するための手段】
【０００８】
本発明のＲＦＩＤ用ホルダは、外部からの不正アクセスを防止するために、板材に、磁界あるいは電界遮蔽用の金属薄板を配置し、前記ＲＦＩＤの非使用時には、ＲＦＩＤをＲＦＩＤ用ホルダの板材の間に装着させ、前記ＲＦＩＤの使用時には、前記ＲＦＩＤ用ホルダの板材を回転させて、ＲＦＩＤを外部に露出させ、ＲＦＩＤリーダライタと前記ＲＦＩＤ間のデータ通信を行うものである。
【０００９】
または、本発明のＲＦＩＤ用ホルダは、 外部からの不正アクセスを防止するために、板材に、磁界あるいは電界遮蔽用の金属薄板を配置し、前記ＲＦＩＤの非使用時には、ＲＦＩＤをＲＦＩＤ用ホルダの板材に装着させ、前記ＲＦＩＤの使用時には、前記ＲＦＩＤ用ホルダの板材と、前記ＲＦＩＤとの間に、空隙を設けた状態にて、ＲＦＩＤリーダライタと前記ＲＦＩＤ間のデータ通信を行うものである。
【００１０】
即ち、本発明は、板材と、前記板材とＲＦＩＤとの間を拘束する連結部とで構成されたＲＦＩＤ用ホルダにおいて、前記の板材に、磁界あるいは電界遮蔽用の金属薄板が配置されたＲＦＩＤ用ホルダである。
【００１１】
また、本発明は、前記板材は、その枚数を、少なくとも１枚とするＲＦＩＤ用ホルダである。
【００１２】
また、本発明は、前記板材での磁界あるいは電界遮蔽用の金属薄板の領域は、板材とＲＦＩＤとの密着時において、前記ＲＦＩＤのアンテナを形成する領域を、少なくとも含むＲＦＩＤ用ホルダである。
【００１３】
また、本発明は、前記磁界あるいは電界遮蔽用の金属薄板の材質は、鉄、鉄ニッケル合金、銅、真鍮、アルミニウムの少なくとも１つが選択されたＲＦＩＤ用ホルダである。 
【００１４】
また、本発明は、前記ＲＦＩＤ用ホルダと連結されたＲＦＩＤである。
【００１５】
また、本発明は、少なくとも１枚の板材にてＲＦＩＤ用ホルダを構成し、前記板材の端部を、連結部にて拘束し、前記板材には、磁界あるいは電界遮蔽用の金属薄板を配置しており、ＲＦＩＤを、前記ＲＦＩＤ用ホルダの板材に装着し、前記ＲＦＩＤの非使用時には、ＲＦＩＤをＲＦＩＤ用ホルダの板材に装着させ、前記ＲＦＩＤの使用時には、前記ＲＦＩＤ用ホルダの板材を回転させてＲＦＩＤを外部に露出させ、ＲＦＩＤリーダライタと前記ＲＦＩＤ間のデータ通信を行うＲＦＩＤ用ホルダの使用方法である。
【００１６】
また、本発明は、少なくとも１枚の板材にてＲＦＩＤ用ホルダを構成し、前記板材の端部を、連結部にて拘束し、前記板材には、磁界あるいは電界遮蔽用の金属薄板を配置しており、ＲＦＩＤを、前記ＲＦＩＤ用ホルダの板材に装着し、前記ＲＦＩＤの非使用時には、ＲＦＩＤをＲＦＩＤ用ホルダの板材の間に装着させ、前記ＲＦＩＤの使用時には、前記ＲＦＩＤ用ホルダの板材と、前記ＲＦＩＤとの間に、空隙を設けた状態にて、ＲＦＩＤリーダライタと前記ＲＦＩＤ間のデータ通信を行うＲＦＩＤ用ホルダの使用方法である。
【発明の効果】
【００１７】
従って、本発明によれば、外部からの不正アクセスを防止し、かつ必要な場合にのみＲＦＩＤリーダライタとの通信を可能にすることができるＲＦＩＤ用ホルダおよび、ＲＦＩＤ、およびＲＦＩＤホルダの使用方法を提供できる。
【発明を実施するための最良の形態】
【００１８】
本発明の実施の形態によるＲＦＩＤ用ホルダ、およびＲＦＩＤ、およびＲＦＩＤホルダの使用方法について、以下に説明する。
【００１９】
本発明のＲＦＩＤ用ホルダは、２枚の板材と、前記２枚の板材を拘束する連結部、前記２枚の板材を接合する接合部とで構成されている。ここで、前記２枚の板材は、前記連結部により回転方向に拘束されている。前記ＲＦＩＤ用ホルダの２枚の板材の間に、ＲＦＩＤが配置されていて、前記ＲＦＩＤは、更に前記連結部によって拘束されている。  
【００２０】
また、本発明の他の例のＲＦＩＤ用ホルダは、１枚の板材と、前記１枚の板材と、ＲＦＩＤとを拘束する連結部とで構成されている。ここで前記の板材と、前記ＲＦＩＤとは、連結部にて、回転拘束されている。
【００２１】
ここで、前記板材には、磁界遮蔽用の金属薄板あるいは電界遮蔽用の金属薄板が配置されている。特に、電磁結合による方式の場合は、磁界遮蔽用の金属薄板、例えば、鉄、鉄ニッケル合金等の強磁性体である金属薄板が、２枚の板材のそれぞれに配置される。２枚の板材自体が磁界遮蔽用の材料で構成されていても良い。  
【００２２】
また、電磁波による結合の場合は、例えば、鉄、鉄ニッケル合金等の強磁性体である金属薄板や、銅、真鍮、アルミニウム等の導電性の高い金属薄板が、前記板材のそれぞれに配置される。板材自体が導電性の高い材料で構成されていても良い。
【００２３】
ここで、前記磁界遮蔽用の金属薄板等あるいは電界遮蔽用の金属薄板等の領域は、ＲＦＩＤのアンテナの領域を、少なくともカバーするように構成する。
【００２４】
このように、本発明のＲＦＩＤ用ホルダは、 外部からの不正アクセスを防止するために、板材に、磁界あるいは電界遮蔽用の金属薄板を配置し、前記ＲＦＩＤの非使用時には、ＲＦＩＤをＲＦＩＤ用ホルダの板材に装着させ、前記ＲＦＩＤの使用時には、前記ＲＦＩＤ用ホルダの板材を回転させて、ＲＦＩＤを、外部に露出させ、ＲＦＩＤリーダライタに接近させて、前記ＲＦＩＤとデータ通信を行う。  
【００２５】
また、本発明のＲＦＩＤ用ホルダは、 外部からの不正アクセスを防止するために、板材に、磁界あるいは電界遮蔽用の金属薄板を配置し、前記ＲＦＩＤの非使用時には、ＲＦＩＤをＲＦＩＤ用ホルダの板材に装着させ、前記ＲＦＩＤの使用時には、前記ＲＦＩＤ用ホルダの板材と、前記ＲＦＩＤとの間に、空隙を設けた状態にて、ＲＦＩＤリーダライタに接近させて、前記ＲＦＩＤとデータ通信を行う。
【実施例１】
【００２６】
図１は、本発明の実施例１によるＲＦＩＤ用ホルダの断面図である。図１のＲＦＩＤ用ホルダ１００は、板材１１ａ，１１ｂと、板材１１ａ，１１ｂとを回転拘束する連結部６と、板材１１ａ，１１ｂとを接合する接合部７とで構成されている。これによって、板材１１ａ，１１ｂは、お互いに、動きは拘束されている。ＲＦＩＤ５は、基板４の内部に、ＩＣチップ２と、アンテナコイル３とが埋め込まれた構造である。
【００２７】
図１において、板材１１ａ，１１ｂは樹脂材料で構成され、その中に磁性体薄板１ａ，１ｂが埋め込まれている。磁性体薄板１ａ，１ｂの材質は、磁界遮蔽用の材料として、ニッケルを使用しており、また、厚みは０．５ｍｍとした。  
【００２８】
また、図２は、本発明の実施例１によるＲＦＩＤ用ホルダの使用方法の説明図である。図２（ａ）は、ＲＦＩＤ５からの読み出し、書き込みを行う状態の説明図であり、図２（ｂ）は、ＲＦＩＤ５からの読み出し、書き込みを止めている状態の説明図である。      
【００２９】
本発明のＲＦＩＤ用ホルダは、パスケ−ス・キーホルダ等、ＲＦＩＤを一定の位置に挿入可能な、平面形状のホルダである。上記ホルダ−内部に、ＲＦＩＤと平行となるように磁界遮蔽用の金属部品が埋没されている、あるいは定位置に固定できる構造を持っている。ＲＦＩＤ用ホルダ内にＲＦＩＤが収納された場合には、外部からの磁界が遮蔽されるため、通信できない。ＲＦＩＤを、ＲＦＩＤ用ホルダの所定位置から取り出すことでＲＦＩＤとリーダ・ライタの通信が可能となる。なお、ＲＦＩＤとリーダ・ライタとの結合が電磁界による場合は、磁性体薄板１ａ，１ｂを、電磁界を遮蔽するために、ニッケル以外の材料である銅等も使用することができる。
【００３０】
このように、ＲＦＩＤを、ＲＦＩＤ用ホルダ内に収納した状態では、外部からの磁界、あるいは電磁界から遮断されるため、ＲＦＩＤのアンテナコイルには、誘起起電力は発生しない。
【実施例２】
【００３１】
図３は、本発明の実施例２によるＲＦＩＤ用ホルダの断面図である。図３において、ＲＦＩＤ用ホルダ１０１は、板材１１ｄと、板材１１ｄと、ＲＦＩＤ５とを回転拘束する連結部６２とで構成されている。これによって、板材１１ｄとＲＦＩＤ５とは、お互いに動きは、回転方向に拘束されている。ここで、ＲＦＩＤ５は、基板４の内部に、ＩＣチップ２と、アンテナコイル３とが埋め込まれた構造である。
【００３２】
図３において、板材１１ｄは、樹脂材料で構成され、その中に磁性体板１ｄが埋め込まれ、磁性体板１ｄの材質は、ニッケルである。また、磁性体板１ｄの厚みは、０．５ｍｍとした。
【００３３】
図４は、本発明の実施例２によるＲＦＩＤ用ホルダの使用方法の説明図である。図４（ａ）は、ＲＦＩＤ５がＲＦＩＤ用ホルダから、外部に露出されて、ＲＦＩＤとリーダライタとの間でデータの読み出し、書き込みを行う状態の説明図である。また、図４（ｂ）は、ＲＦＩＤ５と、ＲＦＩＤ用ホルダとが、密着されており、磁性体板１ｄの磁気遮蔽効果によって、ＲＦＩＤとリーダライタとの間でデータの読み出し、書き込みが防止されている。
【実施例３】
【００３４】
図５は、本発明の実施例３によるＲＦＩＤ用ホルダの説明図である。図５（ａ）は、ＲＦＩＤ用ホルダ とＲＦＩＤ５とが密着された状態の説明図であり、図５（ｂ）は、ＲＦＩＤ用ホルダ と、ＲＦＩＤ５との間に、空隙を生じた状態の説明図である。図５（ｂ）では、ＲＦＩＤ用ホルダの突起８を利用して、力Ｆを加えてＲＦＩＤ用ホルダを、連結部６３を支点として外側に曲げて、ＲＦＩＤ５との間に空隙９を設けている。この状態では、磁性体板１ｅが、ＲＦＩＤ５のアンテナ３と離れるので、磁性体板１ｅの影響が軽減され、ＲＦＩＤとリーダライタとの間でデータの読み出し、書き込みを行うことができる。
【実施例４】
【００３５】
図６は、本発明の実施例２によるＲＦＩＤ用ホルダの説明図である。図６（a）は、ＲＦＩＤ用ホルダ と、ＲＦＩＤ５とが密着された状態の説明図であり、図６（ｂ）は、ＲＦＩＤ用ホルダ と、ＲＦＩＤ５との間に、空隙９１を生じた状態の説明図である。図６（ｂ）のごとく、ＲＦＩＤ用ホルダの板材１１ｆ を、平面方向に移動させ連結部６４と、突起９１の移動の伴って、空隙９１が設けられる。図６（ｂ）の状態では、板材１１ｆ内部の磁性体板１ｆが、ＲＦＩＤ５のアンテナ３と離れるので、磁性体板１ｆの影響が軽減され、ＲＦＩＤ５と、リーダライタとの間にて、データの読み出し、書き込みを行う事ができる。
【産業上の利用可能性】
【００３６】
本発明のＲＦＩＤ用ホルダ、およびＲＦＩＤ、およびＲＦＩＤ用ホルダの使用方法は、不正読み出しを防止した、個人用のデータ管理、企業での情報管理などにおける、ＲＦＩＤのデータの送受信に利用できる。
【図面の簡単な説明】
【００３７】
【図１】本発明の実施例１によるＲＦＩＤ用ホルダの断面図。
【図２】本発明の実施例１によるＲＦＩＤ用ホルダの使用方法の説明図。図２（ａ）は、ＲＦＩＤからの読み出し、書き込みを行う状態の説明図、図２（ｂ）は、ＲＦＩＤからの読み出し、書き込みを止めている状態の説明図。
【図３】本発明の実施例２によるＲＦＩＤ用ホルダの断面図。
【図４】本発明の実施例２によるＲＦＩＤ用ホルダの使用方法の説明図。図４（ａ）は、ＲＦＩＤからの読み出し、書き込みを行う状態の説明図、図４（ｂ）は、ＲＦＩＤからの読み出し、書き込みを止めている状態の説明図。
【図５】本発明の実施例３によるＲＦＩＤ用ホルダの説明図。図５（ａ）は、ＲＦＩＤ用ホルダとＲＦＩＤとが密着している状態の説明図。図５（ｂ）は、ＲＦＩＤ用ホルダとＲＦＩＤとの間に空隙を設けた状態の説明図。
【図６】本発明の実施例４によるＲＦＩＤ用ホルダの説明図。図６（ａ）は、ＲＦＩＤ用ホルダとＲＦＩＤとが密着している状態の説明図。図６（ｂ）は、ＲＦＩＤ用ホルダとＲＦＩＤとの間に空隙を設けた状態の説明図。
【図７】従来のＲＦＩＤをリーダライタにより読み出し、書き込みを行う状態の説明図。
【符号の説明】
【００３８】
１ａ，１ｂ，１ｄ，１ｅ，１ｆ    磁性体薄板
２，２１    ＩＣチップ
３，３１    アンテナコイル
４，４１    基板
５，５１    ＲＦＩＤ
６，６１，６２，６３，６４    連結部
７    接合部
８，８１    突起
１０    リーダライタ
１１ａ，１１ｂ，１１ｄ，１１ｅ，１１ｆ    板材
１００，１０１    ＲＦＩＤ用ホルダ
２００    アンテナコイル
９，９１  空隙
【図１】
2007047921.tif 000003
【図２】
2007047921.tif 000004
【図３】
2007047921.tif 000005
【図４】
2007047921.tif 000006
【図５】
2007047921.tif 000007
【図６】
2007047921.tif 000008
【図７】
2007047921.tif 000009